【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
信号合成器であって、
第１のコイルと第２のコイルとを有するバラントランス回路を含み、第１のコイルは第１のポートと第２のポートとの間に実現され、第２のコイルは第３のポートと第４のポートとの間に実現され、第１のポートおよび第３のポートは第１のキャパシタによって結合され、第２のポートおよび第４のポートは第２のキャパシタによって結合され、第１のポートは第１の信号を受信するように構成され、第４のポートは第２の信号を受信するように構成され、第２のポートは第１の信号と第２の信号との合成を生成するように構成され、前記信号合成器はさらに、
第３のポートを接地に結合する終端回路を含み、終端回路は、調整可能インピーダンス回路および１つ以上の高調波の強度を第２のポートで減少させるように構成された高調波除去回路を含む、信号合成器。
【請求項２】
帯域選択信号を受信し、帯域選択信号に基づいて調整可能インピーダンス回路を調整するように構成されたコントローラをさらに含む、請求項１に記載の信号合成器。
【請求項３】
コントローラはさらに、第１のキャパシタまたは第２のキャパシタの少なくとも一方を調整するように構成される、請求項２に記載の信号合成器。
【請求項４】
第１のポートは、ドハティ電力増幅器（ＰＡ）からキャリア増幅信号を受信するように構成され、第４のポートは、ドハティＰＡからピーキング増幅信号を受信するように構成される、請求項１に記載の信号合成器。
【請求項５】
調整可能インピーダンス回路は複数のキャパシタを含み、複数のキャパシタの各々は、（２×パイ×ドハティＰＡのそれぞれの動作周波数×ドハティＰＡに結合された負荷の特性インピーダンス）の逆数とほぼ等しいキャパシタンスを有する、請求項４に記載の信号合成器。
【請求項６】
動作周波数を示す帯域選択信号を受信し、（２×パイ×動作周波数×ドハティＰＡに結合された負荷の特性インピーダンス）の逆数とほぼ等しいキャパシタンスを有するように調整可能インピーダンス回路を調整するように構成されたコントローラをさらに含む、請求項４に記載の信号合成器。
【請求項７】
コントローラはさらに、調整可能インピーダンス回路のキャパシタンスの半分とほぼ等しいキャパシタンスを有するように第１のキャパシタおよび第２のキャパシタを調整するように構成される、請求項６に記載の信号合成器。
【請求項８】
第１のポートは、ドハティ電力増幅器（ＰＡ）からピーキング増幅信号を受信するように構成され、第４のポートは、ドハティＰＡからキャリア増幅信号を受信するように構成される、請求項１に記載の信号合成器。
【請求項９】
調整可能インピーダンス回路は複数のインダクタを含み、複数のインダクタの各々は、ドハティＰＡに結合された負荷の特性インピーダンス÷（２×パイ×ドハティＰＡのそれぞれの動作周波数）とほぼ等しいインダクタンスを有する、請求項８に記載の信号合成器。
【請求項１０】
動作周波数を示す帯域選択信号を受信し、ドハティＰＡに結合された負荷の特性インピーダンス÷（２×パイ×動作周波数）とほぼ等しいインダクタンスを有するように調整可能インピーダンス回路を調整するように構成されたコントローラをさらに含む、請求項８に記載の信号合成器。
【請求項１１】
調整可能インピーダンス整合回路は、並列に接続された複数のインピーダンス素子を含み、複数のインピーダンス素子の各々は、直列に接続されたインピーダンスとスイッチとを含む、請求項１に記載の信号合成器。
【請求項１２】
高調波除去回路は、直列に接続された複数の共振素子を含み、複数の共振素子の各々は、並列に接続されたインダクタとキャパシタとを含む、請求項１に記載の信号合成器。
【請求項１３】
複数の共振素子の各々は、信号合成器の動作周波数の倍数とほぼ等しい共振周波数を有する、請求項１２に記載の信号合成器。
【請求項１４】
複数の共振素子の各々は、信号合成器のそれぞれの動作周波数の２倍とほぼ等しい共振周波数を有する、請求項１３に記載の信号合成器。
【請求項１５】
高調波除去回路は、第３のポートと調整可能インピーダンス回路との間に実現される、請求項１に記載の信号合成器。
【請求項１６】
電力増幅器（ＰＡ）モジュールであって、
複数のコンポーネントを受けるように構成された実装基板と、
実装基板上に実現された信号合成器とを含み、信号合成器は、第１のコイルと第２のコイルとを有するバラントランス回路を含み、第１のコイルは第１のポートと第２のポートとの間に実現され、第２のコイルは第３のポートと第４のポートとの間に実現され、第１のポートおよび第３のポートは第１のキャパシタによって結合され、第２のポートおよび第４のポートは第２のキャパシタによって結合され、第１のポートは第１の信号を受信するように構成され、第４のポートは第２の信号を受信するように構成され、第２のポートは第１の信号と第２の信号との合成を生成するように構成され、前記信号合成器はさらに、第３のポートを接地に結合する終端回路を含み、終端回路は、調整可能インピーダンス回路および１つ以上の高調波の強度を第２のポートで減少させるように構成された高調波除去回路を含む、ＰＡモジュール。
【請求項１７】
実装基板上に実現されたコントローラをさらに含み、コントローラは、帯域選択信号を受信し、帯域選択信号に基づいて調整可能インピーダンス回路を調整するように構成される、請求項１６に記載のＰＡモジュール。
【請求項１８】
無線装置であって、
無線周波数（ＲＦ）信号を生成するように構成されたトランシーバと、
トランシーバと通信している電力増幅器（ＰＡ）モジュールとを含み、ＰＡモジュールは、ＲＦ信号を受信し、ＲＦ信号を第１の部分および第２の部分へと分割するように構成された入力回路を含み、ＰＡモジュールはさらに、第１の部分を受信するために入力回路に結合されたキャリア増幅経路と、第２の部分を受信するために入力回路に結合されたピーキング増幅経路とを有するドハティＰＡを含み、ＰＡモジュールはさらに、ドハティ増幅器回路に結合された出力回路を含み、出力回路は、第１のコイルと第２のコイルとを有するバラントランス回路を含み、第１のコイルは第１のポートと第２のポートとの間に実現され、第２のコイルは第３のポートと第４のポートとの間に実現され、第１のポートおよび第３のポートは第１のキャパシタによって結合され、第２のポートおよび第４のポートは第２のキャパシタによって結合され、第１のポートはキャリア増幅経路を介して第１の信号を受信するように構成され、第４のポートはピーキング増幅経路を介して第２の信号を受信するように構成され、第２のポートは第１の信号と第２の信号との合成を増幅されたＲＦ信号として生成するように構成され、ＰＡモジュールはさらに、第３のポートを接地に結合する終端回路を含み、終端回路は調整可能インピーダンス回路および１つ以上の高調波の強度を第２のポートで減少させるように構成された高調波除去回路を含み、前記無線装置はさらに、
ＰＡモジュールと通信しているアンテナを含み、アンテナは、増幅されたＲＦ信号の送信を容易にするように構成される、無線装置。
【請求項１９】
帯域選択信号を受信し、帯域選択信号に基づいて調整可能インピーダンス回路を調整するように構成されたコントローラをさらに含む、請求項１８に記載の無線装置。